(57)【要約】  継手に挿入された管の端部の圧縮に対する内部硬化を提供するための、管継手において使用するための支持スリーブであって、該支持スリーブ（１）が、継手に設けられたボアに取り付けられるための別個の部材である。支持スリーブ（１）は、外部において円錐形でありかつ挿入方向に狭まった変形可能なカラー（３）を有しており、カラーの縁部が、主にボアの直径に相当するか又はボアの直径よりも大きな直径を有している。支持スリーブと共に使用するための継手ハウジング（５）は、支持スリーブを挿入するためのボアにおいて環状溝（１７）を有しており、この環状溝にカラー（３）の縁部が挿入される。
2005510665.tif 000002
【特許請求の範囲】
【請求項１】
継手に挿入された管の端部の圧縮に対する内部硬化を提供するために、管継手において使用するための支持スリーブにおいて、該支持スリーブ（１）が、継手に設けられたボア内に取り付けられるための別個の部材であり、前記支持スリーブ（１）が、外側が円錐形でかつ挿入方向に狭まった変形可能なカラー（３）を有しており、該カラーの縁部が、主にボアの直径に相当するか又は該ボアの直径よりも大きな直径を有することを特徴とする、管継手において使用するための支持スリーブ。
【請求項２】
前記カラー（３）が内側においても円錐形であり、外側におけるよりも大きな円錐角度を有することを特徴とする、特許請求の範囲第１項記載の支持スリーブ
【請求項３】
前記支持スリーブ（１）が、硬化を提供する円筒状部分（２）と、反対方向に向けられた延長部（４）とを有しており、前記カラー（３）が円筒状部分と延長部との間の移行部に配置されていることを特徴とする、特許請求の範囲第１項又は第２項記載の支持スリーブ。
【請求項４】
前記カラー（３）が支持スリーブの他の部分と一体的に形成されていることを特徴とする、特許請求の範囲第１項から第３項までのいずれか１項記載の支持スリーブ。
【請求項５】
前記カラー（３）が支持スリーブの他の部分に取り付けられた別個の部材であることを特徴とする、特許請求の範囲第１項から第３項までのいずれか１項記載の支持スリーブ。
【請求項６】
前記カラー（３）と支持スリーブの他の部分とが互いに異なる材料から形成されていることを特徴とする、特許請求の範囲第１項から第３項までのいずれか１項記載の支持スリーブ。
【請求項７】
前記カラー（３）がプラスチックから形成されていることを特徴とする、特許請求の範囲第１項から第６項までのいずれか１項記載の支持スリーブ。
【請求項８】
前記カラー（３）が硬質プラスチックから形成されていることを特徴とする、特許請求の範囲第７項記載の支持スリーブ。
【請求項９】
継手に挿入された管の圧縮に対する硬化を提供するために内部支持スリーブを取り付けるための、継手のための継手ハウジング（５）において、支持スリーブ（１）を挿入するためのボアを有しており、前記支持スリーブが、ボアの直径よりも大きな直径の周方向カラー（３）を有しており、前記ボアが、カラーよりも小さな直径を有する環状溝（１７）を有しており、該環状溝にカラーの縁部が挿入されることを特徴とする、継手のための継手ハウジング。
【発明の詳細な説明】
【技術分野】
【０００１】
本発明は、後記の請求項１及び９の前提部に開示されているような、管継手において使用するための支持スリーブ及びこのような支持スリーブと共に使用するための管継手に関する。
【背景技術】
【０００２】
支持スリーブは、管継手、特に締付けリング及び／又はシールリングを含む継手において、継手に挿入された管の圧縮に対する内部硬化として、締付けリング及び／又はシールリングによって外部から加えられる圧力によって管が圧潰するのを防止するために使用される。この圧潰は、特に管が柔軟な材料から形成されている場合、しかし締付けリング及び／又はシールリングが管の外部に対して高い圧力を加える場合にも生じる。したがって、管の周囲におけるシール及び／又は管の保持が不十分となる。
【０００３】
ノルウェー特許第１４９５９８号明細書は、継手ハウジングと一体的に形成された支持スリーブを含む継手の例を示している。
【０００４】
さらに、別個の支持スリーブを継手ハウジングに挿入することが知られている。例として、ドイツ連邦共和国特許出願第２４５０１２６号明細書を参照すると、継手ハウジングに挿入された管の端部に取り付けられた支持スリーブを示しており、管は端部に内部溝を有している。この解決手段は、溝を形成するために管の端部を切削することを必要とする。欧州特許出願第０５４６４０５号明細書は、継手ハウジングに設けられた円錐面に適応された、円錐形外部形状を備えた端部を有する別個の支持スリーブを示している。さらに、端部は環状の溝を有しており、この溝に管の端部を挿入することができる。支持スリーブは、第２の継手ハウジングが螺合される前は継手ハウジング内の所定の位置に保持されない。
【０００５】
本発明によれば、挿入時に簡単な形式で継手ハウジング内に保持される支持スリーブと、このような支持スリーブと共に使用するための管継手が提供される。
【０００６】
本発明による支持スリーブ及び管継手は、前記請求項１及び９から明らかな特徴を有する。支持スリーブの具体化は請求項２から８までに明記されている。
【発明の開示】
【課題を解決するための手段】
【０００７】
支持スリーブは、外側が円錐形のカラーを有しているので、支持スリーブは、継手ハウジングに設けられた円筒状ボアに挿入されるだけでよく、カラーの変形されない状態におけるカラーの直径はボアの直径よりも大きいので、カラーは挿入された状態において、支持スリーブを抜き出すことに対する妨害を形成する。継手ハウジングに設けられたボアは環状の溝を有しており、この溝にカラーの縁部が突入する。カラーは、対応して増大した半径寸法を有しており、これによりカラーは、支持スリーブの取り付けられた状態において変形させられる。
【０００８】
好適には、継手ハウジングは、支持スリーブが挿入されるボアの後に第２のボアを有しており、この第２のボアは支持スリーブの延長部に適応されており、これにより、支持スリーブは継手ハウジング内でセンタリングされかつ継手ハウジングの長手方向軸線と整合させられる。このような第２のボアが設けられていないと、支持スリーブを継手ハウジングの長手方向軸線と正確に整合させることなく挿入する可能性があり、支持スリーブの保持が損なわれる。さらに、継手ハウジングへの管の挿入がより困難になる。第２のボアと、支持スリーブの延長部とは、支持スリーブが衝撃又は打撃等の外部ひずみを受けた場合でさえも長手方向軸線に沿ってセンタリングされたままであるようにもする。
【０００９】
本発明は、本発明による支持スリーブを含む継手ハウジングを供えた継手の実施例の縦断面図を示す添付の図面を参照しながら以下に説明される。
【発明を実施するための最良の形態】
【００１０】
図は、第１の円筒状部分２と、外部円錐形カラー３と、延長部４とを有する、本発明による支持スリーブ１を示している。支持スリーブ１は継手ハウジング５に取り付けられて示されており、継手ハウジング５には、示された実施例においてナット部分６、例えば、レンチによってねじ込まれるための外部六角形が形成されている。さらに、継手ハウジング５は、継手ソケットの螺合させるための第１の、雄ねじ山が設けられた管片７を有しており、継手ソケットは、螺合した状態において、支持スリーブ２の円筒状部分の周囲に締付けリング及び／又はシールリングを含み、また継手ハウジングは、継手ハウジング５を別の部材に取り付けるための第２の、雄ねじ山が設けられた管片８を有している。管片８が形成される代わりに、継手ハウジングは、横方向中間平面に関して対称的でかつ、２つの継手ソケットを螺合させるための２つの反対向きの管片７を有していてよく、これにより、継手は２つの管を接合するために使用されてよい。この場合、継手のそれぞれの半分が支持スリーブ１を含む。
【００１１】
支持スリーブ１は、示された実施例において１つの部材として形成されている。円筒状部分２は、図３に示されているように、取り付けられた状態において部分２の外部において管を包囲する締付けリング及び／又はシールリングによる外部圧力に対して、継手に挿入された管を硬化させることによって、支持スリーブの能動的な部分を形成する。部分２の外部において継手ハウジングに管の端部を挿入するための環状部９は、主に、挿入される管の壁厚に対応されている。カラー３は、支持スリーブ１が保持され、挿入された管のための端部当接部を形成することを生ぜしめる。延長部４は、継手ハウジング５への挿入時における支持管１のためのガイドを形成しており、支持スリーブ１が継手ハウジングの長手方向軸線と整合することを保証する。示された実施例において、延長部４は外部圧力に曝されないので、延長部４は、部分２よりも幾分小さな長さ及び外径を有している。
【００１２】
カラー３は、示された実施例において、外側及び内側において円錐状であり、この場合、外側の円錐角度は内側の円錐角度よりも小さい；すなわちカラー３の軸方向厚さは半径方向外向きに減少している。これは、カラーの剛性も外向きに減少していることを意味する。カラー３は、上側が平坦であってもよい。
【００１３】
カラー３の周縁部は、示された実施例において、挿入時に幾分変形させられ、その弾性によりボアの壁部に対し押圧される。カラー３が円錐形であることにより、支持スリーブ１を継手ハウジングから抜き出そうとした場合カラーが拡開しようとし、抜出に対する抵抗が増大する。継手ハウジング５内のボアは、図４に示されているように、カラー３の縁部を収容するために、内側端部に環状の溝１７を有していてよい。カラー３は、対応して増大した半径方向寸法を有していてよく、これにより、カラーは、支持スリーブの取り付けられた状態において変形させられる。このような実施形態の場合にも、支持スリーブ１を継手ハウジング５から抜き出そうとした場合にカラー３は拡開しようとする。
【００１４】
図２は、図１と同じ継手ハウジング５及び支持スリーブ１を示している。継手ソケット１０はここでは継手ハウジング５に螺合させられており、締付けリング１１と、２つのＯリング１３及び１４とを有している。第３のＯリング１５は継手ハウジング５と継手ソケット１０との間にシールを形成している。
【００１５】
図３は、図２と同じ継手を示しており、さらに、締付けリング１１及びＯリング１３及び１４に押し込まれることによって継手に挿入された管１６の端部を示している。締付けリングの縁部１２は、管を保持するために、管壁に幾分押し付けられているように見える。
【００１６】
図４は、主に図３と同じものを示しており、相違点は、継手ハウジング５の、管１６を収容する環状部９を形成したボアの底部に環状の溝１７が形成されていることであり、この場合、支持スリーブ１の挿入が完了した場合支持スリーブ１におけるカラー３の外縁部が環状溝１７内へ拡開する。カラー３は環状溝１７よりも幾分大きな半径方向寸法を有しているので、カラー３の縁部は環状溝１７の壁部に対して押圧される。これにより、支持スリーブ１はボア内にロックされる。
【００１７】
支持スリーブは、図示されているように一体的である必要はない。例えば、カラー３は支持スリーブの残りの部分に取り付けられた部材であってよい。カラー３は、例えば、部分２に設けられた環状溝にスナップ係合されることによって、部分２に押し被せられることによって又は部分２に接着されることによって固定されてよい。これは、カラーが支持スリーブの他の部分とは異なる材料から形成されていることが望ましい場合に特に当てはまる。
【００１８】
特に、支持スリーブ又は少なくともカラーのための材料としてプラスチック、好適には硬質プラスチックが適している。カラー３が別個の部材を形成している場合には、支持スリーブの他の部分は金属から形成されていてよい。
【００１９】
支持スリーブ１は、継手ハウジングの長手方向軸線と整合させられている限り、引き出されることに対する大きな抵抗を与える。しかしながら、管が、（締付けリング１０及び／又はシールリング１３及び１４を含む継手ソケット１０をねじ緩めることによって）継手ハウジングから取り外された場合、支持スリーブは僅かに傾斜した位置に強制されてよく、これにより、ボア内における支持スリーブの保持が弱められ、支持スリーブは継手ハウジング５から引き出されてよい。
【図面の簡単な説明】
【００２０】
【図１】本発明による支持スリーブを含む継手ハウジングを示している。
【図２】継手ハウジングに螺合されておりかつ、締付けリングおよび２つのＯリングを有する継手ソケットを示しており、第３のＯリングが継手ソケットと継手ハウジングとの間に詰め込まれている。
【図３】図２の継手と、継手に挿入された管の端部とを示している。
【図４】図２とほぼ同じものを示しており、本発明に基づき、図１から図３までに示された継手ハウジングとは内部が幾分異なって成形された継手ハウジングを示している。
【符号の説明】
【００２１】
１  支持スリーブ
２  円筒状部分
３  カラー
４  延長部
５  継手ハウジング
６  ナット部分
７，８  管片
９  環状部
１０  継手ソケット
１１  締付けリング
１２  縁部
１３，１４，１５  Ｏリング
１６  管
１７  環状溝
【図１】
2005510665.tif 000003
【図２】
2005510665.tif 000004
【図３】
2005510665.tif 000005
【図４】
2005510665.tif 000006
【国際調査報告】
2005510665.tif 000007
2005510665.tif 000008